(57)【要約】【課題】飛散した水滴を浴びてしまう環境に設置されても水滴の侵入を確実に防止することができる信頼性及び安全性の高い手乾燥装置を提供する。【解決手段】手乾燥装置本体１００は、手を出し入れできる手挿入空間１を形成する本体２に組込まれた高圧空気流発生装置３により生成される高圧空気流を、手挿入空間１において高速空気流として噴出し、手挿入空間１に挿入された手に付着した水滴を高速空気流の運動エネルギーにより吹き飛ばす乾燥装置４と、この乾燥装置４の空気の吸入口３ｄに設けられ、吸い込まれる空気を昇温する加熱装置６とを有し、加熱装置６の空気取入口にギャラリ２０が設けられている。【選択図】                図１
2007044345.tif 000002
【特許請求の範囲】
【請求項１】
本体と、
前記本体の内部に外部空気を吸い込む空気流発生装置と、
前記空気流発生装置からの空気を前記本体外部に噴出するためのノズルと、
前記本体の内部に吸い込まれる前記外部空気が通過する途中に設けられたギャラリとを備えることを特徴とする手乾燥装置。
【請求項２】
ギャラリは、本体の吸込口を覆うように構成されたカバーに形成されていることを特徴とする請求項１に記載の手乾燥装置。
【請求項３】
ギャラリは、複数の孔と、前記複数の孔それぞれ設けられた羽根板とからなることを特徴とする請求項１または２に記載の手乾燥装置。
【請求項４】
ギャラリは、略長方形の孔の上辺と両側辺に設けられた切り込みを本体内部方向に折り曲げることで形成されていることを特徴とする請求項１から３のいずれか１項に記載の手乾燥装置。
【請求項５】
ギャラリは、略長方形の孔の下辺と両側辺に設けられた切り込みを本体外部方向に折り曲げることで形成されていることを特徴とする請求項１から３のいずれか１項に記載の手乾燥装置。
【請求項６】
本体は、ギャラリを通過して本体の内部に吸い込まれる外部空気を加熱する加熱手段を備えることを特徴とする請求項１から５のいずれか１項に記載の手乾燥装置。
【請求項７】
ギャラリと加熱手段との間にダクト室が設けられていることを特徴とする請求項６に記載の手乾燥装置。
【請求項８】
ダクト室の底面に水浸入防止堰が設けられていることを特徴とする請求項７に記載の手乾燥装置。
【請求項９】
ダクト室の底面に水抜き穴が設けられていることを特徴とする請求項７に記載の手乾燥装置。
【発明の詳細な説明】
【技術分野】
【０００１】
本発明は、洗浄後の濡れた手を風により乾燥させる手乾燥装置に関するものである。
【背景技術】
【０００２】
従来、装置に挿入された洗浄後の濡れた手に対して、高速空気流の運動エネルギーにより吹き飛ばして乾燥させる手挿入空間を有する手乾燥装置において、高速の風を温風化させるために、乾燥装置が吸い込む空気に熱量を供給して空気を昇温させる蓄熱式空気加熱装置を、乾燥装置の空気の吸入口に装備する手乾燥装置が提案されている。
【０００３】
このような手乾燥装置においては、一般に、手挿入空間が形成され高圧空気流発生装置を内蔵する乾燥装置と、この乾燥装置の空気の吸込口に接続された蓄熱式空気加熱装置とから構成される場合が多い。蓄熱式空気加熱装置は、電気ヒーターを内蔵しており、この電気ヒーターの熱量を蓄熱する動作と蓄熱された熱量を空気に放熱する動作とを行う。この手乾燥装置によれば、装置の手挿入空間へ手を挿入すると、センサによってこれが検知されて、例えばモーターとファンで構成された高圧空気流発生装置が作動して、手挿入空間を挟んで対向して設けられたノズルから高圧空気流を吹き出す。このとき蓄熱式空気加熱装置は、蓄えておいた熱量を乾燥装置の吸い込む空気に供給してこれを昇温させる。
【０００４】
蓄熱式空気加熱装置の構造は、一般に、熱を逃がさずに効率的な運転をする目的で、電気ヒーターをヒーターボックスとエアーチャンバーとで囲みこの中に熱量を蓄える構造とされている。エアーチャンバーは風路を構成する枠体の内部に、例えば板バネによって支持されて風圧によって風路を開閉する開閉シャッターを有している。開閉シャッターは、板バネにより常時閉じ側に付勢され風路を閉止している。この開閉シャッターを閉止している板バネの付勢力は、高圧空気流発生装置が送風のために作り出す風の圧力より弱く設定され、高圧空気流発生装置が作動することにより開放し、停止することにより閉止する。この構造により、装置に手が挿入されて手に高速の風を吹き付ける際には、この風にヒーターボックス内の熱量を蓄えた構造体から熱量を与えるとともに、装置に手が挿入されてないときには、ヒーターボックス内に熱量を蓄える。
【０００５】
このような構造により、風の運動エネルギーにより手を乾燥させる手乾燥装置における風の温風化を、比較的容量の小さい電気ヒーターにより、効率よく速やかに実現されることができ、乾燥処理時の冷風感を解消している（例えば、特許文献１参照）。
【０００６】
【特許文献１】特許第３５０６１９８号公報
【発明の開示】
【発明が解決しようとする課題】
【０００７】
このように構成された手乾燥装置を利用して濡れた手を乾燥させる際、例えば、濡れた手を洗面台から手乾燥装置まで移動するときに、手に付着した水滴が移動途中に手から滴下してしまうことがある。また、手を手挿入空間に挿入して乾燥させている最中でも、使い方によっては濡れた手から除去された水滴が、手乾燥装置の外へ飛び散ることもある。このように手乾燥装置はその使用目的から手挿入空間以外の場所にも水滴を浴びてしまうことがある。
【０００８】
蓄熱式空気加熱装置の空気取入口が水平面に対してほぼ垂直となる面、すなわち装置の垂直な側面等に開口されている場合、通常水滴が上方から滴下してきた際に空気取入口に侵入してしまうことは少ない。しかしながら、手乾燥装置が動作を始めると、高速空気流発生装置により空気取入口から外部の空気が吸引されるので、この空気とともに滴下してきた水滴を吸い込んでしまう場合が発生する。そして、吸い込まれた水滴が加熱装置さらには高速空気流発生装置にまで達してしまう可能性もある。加熱装置や高速空気流発生装置は、一般に金属の部材が多く使われているので、水滴の付着によって錆が発生し、加熱装置の発熱量低下や高速空気流発生装置の停止等の不具合が発生してしまうことも予想される。
【０００９】
この発明は上述のような課題を解決するためになされたもので、飛散した水滴を浴びてしまう環境に設置されても水滴の侵入を確実に防止することができる信頼性及び安全性の高い手乾燥装置を提供することを目的とする。
【課題を解決するための手段】
【００１０】
上記課題を解決するために、本発明に係る手乾燥装置は、本体と、本体の内部に外部空気を吸い込む空気流発生装置と、空気流発生装置からの空気を本体外部に噴出するためのノズルと、本体の内部に吸い込まれる外部空気が通過する途中に設けられたギャラリとを備える。
【００１１】
また、ギャラリは、本体の吸込口を覆うように構成されたカバーに形成されている。また、ギャラリは、複数の孔と、複数の孔それぞれ設けられた羽根板とからなる。
【００１２】
さらに、ギャラリは、略長方形の孔の上辺と両側辺に設けられた切り込みを本体内部方向に折り曲げることで形成されているか、もしくは、ギャラリは、略長方形の孔の下辺と両側辺に設けられた切り込みを本体外部方向に折り曲げることで形成されている。
【発明の効果】
【００１３】
本発明においては、飛散した水滴を浴びてしまう環境に設置されても水滴の侵入を確実に防止することができる信頼性及び安全性の高い装置とすることができる。
【発明を実施するための最良の形態】
【００１４】
以下、本発明にかかる手乾燥装置の実施の形態を図面に基づいて詳細に説明する。なお、この実施の形態によりこの発明が限定されるものではない。
【００１５】
実施の形態１．
図１はこの発明に係る実施の形態１の手乾燥装置を向かって左側の側方より見た外観図である。図２は手乾燥装置の右側の側方より見た縦断面図である。最初に概要を説明して次いで詳細を説明する。本実施の形態の手乾燥装置本体１００は、開放シンク状の手挿入空間１を形成した箱体２に高圧空気流発生装置３が組込まれてなる乾燥装置４と、この乾燥装置４と接続部材１２を介して連結された蓄熱式空気加熱装置６とから構成されている。
【００１６】
乾燥装置４は、外殻を成し上部に手挿入空間１を形成する箱体２内に高圧空気流発生装置３が組込まれ、この高圧空気流発生装置３により生成される高圧空気流を手挿入空間１に送気させて、手挿入空間１内に水分を吹き飛ばすに十分な乾燥用作動気流としての高速空気流を形成するものであり、例えば手洗い室等の壁面２００に設置される。
【００１７】
蓄熱式空気加熱装置（以降、単に加熱装置）６は、上下方向の風路を形成する角筒型のヒーターボックス３１内に電気ヒーターであるシーズヒーター９を組込んで構成された加熱手段である蓄熱放熱器８を、外殻をなす箱状のフレーム１６内に、周囲が開放した通風路Ｆを構成するように、且つフレーム１６に加熱部分が直接接触しない状態で収容した構成を成し、蓄熱放熱器８の上部にはエアーチャンバー１０が設けられている。エアーチャンバー１０は、吸引力の作用により開放する開閉シャッター１１を内部に有しており、この開閉シャッター１１の開放により、エアーチャンバー１０に連絡して設けられた接続部材１２と、高圧空気流発生装置３（乾燥装置４）の吸込口３ｄとが連通する。一方、加熱装置６の左側面に形成された図示しない吸込口は、着脱自在に取り付けられたカバー２７により覆われている（図１）。このカバー２７には、加熱装置６の空気取入口を構成するギャラリ２０が設けられている。ギャラリ２０は、上下方向に幅が小さく幅方向に長さが長い小面積孔（スリット）２８の集合体（複数の孔）として形成され、各スリット２８は、水滴の侵入を防止する図示しない羽根板が設けられている。
【００１８】
乾燥装置４の上部に形成された手挿入空間１は、上側と両側面側とが開放し、奥側へ向かって下傾する斜めのＵ字状凹部として構成され、両手を自然に揃えて差し出した状態で違和感や不安感を抱くことのない、目視可能の状態で自由に手を抜き差しできる間口と高さ及び奥行きを有し、その奥側底部には排水口が形成されている。
【００１９】
高圧空気流発生装置３は、モーター３ａと、モーター３ａによって回転するターボファン３ｂと、これらを収容するとともに、風路を形成するダクト３ｃとからなるユニットとして構成され、箱体２の底部を構成するフレームにその吸込口３ｄを下向きにして取り付けられている。
【００２０】
高圧空気流発生装置３の排気側には、上下のエアーダクトのそれぞれの一端が接続され、上下のエアーダクトの他端にそれぞれ上吹出ノズル７ａと下吹出ノズル７ｂとが取り付けられている。上吹出ノズル７ａと下吹出ノズル７ｂには横方向に複数個のノズル穴が列を成して形成され、高圧空気流発生装置３から送られてくる高圧空気を５０ｍ／ｓから１５０ｍ／ｓの風速の風に変換して吹き出す。
【００２１】
上吹出ノズル７ａは、手挿入空間１の入口の上部に下向きに、下吹出ノズル７ｂは手挿入空間１の入口の下部に上向きにそれぞれ入口から奥への圧力勾配を形成するような傾斜をもって横方向に取り付けられ、手挿入空間１に入れた手を擦り合わせることなく、手に付いた水滴を手の表裏から排除できるように、手の甲側と掌側の双方に高速の風を同時に当てることができるようにされている。
【００２２】
図３は本実施の形態の加熱装置６の内部を部分的に透過して示す斜視図である。また、図４は加熱装置６の横断面図である。図中矢印は気流の流れを示している。加熱装置６は、上述の乾燥装置４に吊下支持された直方体箱状で左側面が開放したフレーム１６の内部に蓄熱放熱器８が組込まれた構成であり、左側面には全面的に複数の円形の吸入口１７が開口されている。上面の左右にはそれぞれ乾燥装置４から吊下支持されるための支持腕１９が設けられている。フレーム１６の上面の２つの支持腕１９の間には、乾燥装置４の底部に開口した吸込口３ｄに連通する送気口２１が開口されている。この送気口２１の周囲には接続部材（シール枠）２３が設けられ、支持腕１９によって接続された際、乾燥装置４の吸込口３ｄに送気口２１が風漏れなく接続されるようになっている。
【００２３】
吸入口１７の外方にギャラリ２０を形成する目的で、箱状のカバー２７が着脱自在に取り付けられている。カバー２７の一側面には、加熱装置６の空気取入口を構成するギャラリ２０が形成されている。ギャラリ２０は、複数の孔を構成する複数のスリット２８と各々のスリット２８にそれぞれ設けられた羽根板２９から構成されている。このスリット２８は、上下方向に約４ｍｍの幅で加熱装置６の幅方向全体にわたる長さで開口している。このスリット２８は、板金材料から切り起こし加工により作製され、切り起こされた部分がそれぞれ内側に折り曲げられて羽根板２９になっている。すなわち、ギャラリ２０は、略長方形のスリット２８の上辺と両側辺に設けられた切り込みを本体内部方向に折り曲げることで形成されている。
【００２４】
図５は複数のスリット２８及び羽根板２９が形成された側面板の拡大した縦断面図である。図中矢印は気流の流れを示している。スリット２８と羽根板２９とは、例えば、百葉箱の側壁等に採用されている鎧戸構造を成している。つまり、上下方向に所定の寸法を開けて複数の羽根板２９が並べて配設されている。羽根板２９は、各々のスリット２８に対してそれぞれ６５度傾斜するように設けられ、外部から飛来する水滴に対してはその侵入を抑制するとともに、加熱装置６の内部が不圧となった際には外部の空気を容易に吸い込める構造となっている。なお、ギャラリ２０と蓄熱放熱器８との間には、ギャラリ２０から蓄熱放熱器８に至る風路を形成するダクト室３２が形成されている。
【００２５】
図６は蓄熱放熱器８とその上部に配設されるエアーチャンバー１０の斜視図である。図中矢印は気流の流れを示している。蓄熱放熱器８は、フレーム１６（図３）内に吸入口１７と送気口２１とを連絡する上下方向の風路を形成する角筒型のヒーターボックス３１と、ヒーターボックス３１内に配置されたシーズヒーター９とを主体として構成されている。シーズヒーター９は、ダイキャストにより一体化された複数枚のアルミ材よりなる蓄熱放熱フィン９ａを有し、フレーム１６の底板上にフレーム１６に加熱部分が直接接触しない状態で支持され、各蓄熱放熱フィン９ａが横方向に間隔をおいて並ぶ形態に固定脚３３（図４）により固定され、全体がヒーターボックス３１内に収められている。
【００２６】
図７は加熱装置６のヒーター制御回路の構成図である。ヒーター制御回路は、乾燥装置４側の給電系の電流を検知する電流検知回路３８を有し、この電流検知回路３８により電流の変化を検知して、高圧空気流発生装置３が運転状態の時にはヒーター駆動回路３９によりシーズヒーター９への通電を停止し、高圧空気流発生装置３が停止している時にシーズヒーター９への通電を行なうように制御する。また、ヒーター制御回路には、設置場所の室温（装置の周囲温度）を検知する室温検知回路４０とヒーター温度を検知するヒーター温度検知回路４１が設けられ、この両者の出力を比較回路３７により比較することで周囲温度に拘らす温風温度がほぼ一定になるようにシーズヒーター９への通電が制御される。
【００２７】
図８はエアーチャンバー１０の開閉シャッター１１が閉じた様子を示す斜視図である（図６に示したエアーチャンバー１０は開閉シャッター１１が開いた様子を示している）。エアーチャンバー１０は、図６，図８に示すように底面の両側に立上り４８を形成した枠型容器状に構成され、ヒーターボックス３１内の蓄熱放熱器８の上部に立上り４８を上にして重ねられている。エアーチャンバー１０は、蓄熱放熱器８と送気口２１との間で伝熱を緩衝している。ヒーターボックス３１が形成する風路と送気口２１とは、エアーチャンバー１０の底面に開口されている角形の通気口５０により連通していて、加熱装置６の空気取入口（スリット２８）と乾燥装置４の吸込口３ｄとは、加熱装置６内に構成された一連の通風路で連絡されている。各エアーチャンバー１０の通気口５０には開閉シャッター１１が装着されている。
【００２８】
開閉シャッター１１は、各底面上に長辺側において蝶着され、板バネ５３による付勢手段により常時閉じ側に付勢され各通気口５０を通常においては閉止している。この開閉シャッター１１を閉止している付勢手段の付勢力は、高圧空気流発生装置３が送風のために作り出す風の圧力より弱く設定され、高圧空気流発生装置３が動作することにより開放し、停止することにより閉止する。
【００２９】
上述した構成の手乾燥装置では、手挿入空間１に濡れた手を入れ引き出すことにより、手の水分を手挿入空間１内に形成される高速の温風により手挿入空間１の奥側へ吹き飛ばし、手を不安感を抱かない目視可能の状態で冷風感を抱かずに迅速に乾燥処理することができる。即ち、手挿入空間１に濡れた手を入れると、センサによる手検知信号が構成され、制御回路により高圧空気流発生装置３のモーター３ａが始動し、ターボファン３ｂが回転する。ターボファン３ｂの回転により、吸込経路を経て箱体２の底部側から加熱装置６により供給される暖気が高圧空気流発生装置３に吸い込まれ、暖気による高圧空気流が形成される。この高圧空気流は、高圧空気流発生装置３の排気側からエアーダクト内に送られ、手挿入空間１の上下吹出ノズル７ａ，７ｂから所定の傾斜で手の甲側と掌側の双方に同時に高速の温風として吹き出される。手の水滴はこの高速の温風により前方、即ち手挿入空間１の奥側へ一気に吹き飛ばされる。
【００３０】
吹き飛ばされた水滴は、自重と風の力の双方により手挿入空間１の傾斜された奥側底部の下端に押しやられ、再下端に形成された排水口からドレンホースに流下し、手挿入空間１内から逐次円滑に排水される。ドレンホースを流下した水はドレンタンクに受容される。こうして、約５秒〜１０秒程度で濡れた手は乾燥することになる。この後、手挿入空間１に挿入していた手を手挿入空間１から抜くと、手の不在検知がなされ高圧空気流発生装置３が一定時間運転後に停止し、迅速で衛生的な温風による手の乾燥処理が完了する。即ち、この手乾燥装置によれば、煩わしさ、面倒さ、違和感や不安感それに冷風感を伴うことなく簡単かつ迅速に、温風による衛生的で快適な手の乾燥処理を行なうことができる。手挿入空間１において吹出される温風の熱量は、加熱装置６により給熱されているが、手の乾燥処理に関与するものではなく使用時の冷風感を排除するための熱量で、手に冷感を与えない程度で十分である。
【００３１】
加熱装置６は、乾燥装置４の下部に有り、高圧空気流発生装置３の吸込み側に接続されており、手挿入空間１から熱源部分が離反することにより、手や使用者に対する安全性が向上されている。しかしながら乾燥装置４へ加熱装置６の熱による悪影響が生じることがある。これに対して、伝熱を緩衝するエアーチャンバー１０により解消されている。エアーチャンバー１０を介して乾燥装置４の吸込口３ｄと蓄熱放熱器８の風路が連絡し、開閉シャッター１１で高圧空気流発生装置３の停止中は閉止され、内部の空気の流動が規制されているため、乾燥装置４側への伝熱は効果的に緩衝されている。
【００３２】
高圧空気流発生装置３が作動した際、外部空気がギャラリ２０を斜め上方に向けて通過して加熱装置６に取り入れられる。このとき、加熱装置６近傍に滴下してきた水滴は、その自重により空気と共に上方に移動することはなく、そのまま下方に落下するか、羽根板２９に当たってこれに付着する。羽根板２９の表面に付着した水滴は、その自重により羽根板２９の表面を外方向に滑り落ち、やがては加熱装置６から離れる。つまり、ギャラリ２０を設けたことにより、外部空間に存在する水滴やギャラリ２０に付着していた水滴は、自重によりギャラリ２０に沿って斜め上方に向けて上昇することができず、水滴はギャラリ２０の表面に沿って下方に滴下し、加熱装置６内へ浸入することはない。また、高圧空気流発生装置３が作動していないときは、吸い込み流がないので、なおのことギャラリ２０に沿って斜め上方に向けて上昇することはなく、加熱装置６内へ浸入することはない。なお、装置内への虫等の侵入を防ぐために、スリット２８の裏面に防虫用の網等を設けることも有効である。
【００３３】
本実施の形態においては、ギャラリ２０は、清掃を容易にする目的で着脱自在のカバー２７に形成されている。しかしながら、清掃の容易性を犠牲にして加熱装置６の側面に直接設けられてもよい。加熱装置６の側面に直接設けることにより、装置の小型化と部品点数の削減による低コスト化を図ることができる。また、羽根板２９はスリット２８の開口に併せて切り起こし加工により形成されており、コストが増大しないような方法により作製されている。つまり、スリット２８の上辺と両側辺に設けられた切り込みを本体内部方向に折り曲げることで形成されている。しかしながら、これに限らず、他の部材を接合して羽根板２９が設けられてもよい。また、本実施の形態においては、スリット２８の形成部分の板金を内側に折り曲げることにより、装置の拡大を防ぐとともに意匠性を向上させているが、機能面のみを考慮すれば外側に折り曲げて形成してもよい。つまり、スリット２８の下辺と両側辺に設けられた切り込みを本体外部方向に折り曲げることで形成されてもよい。本体外部方向に折り曲げて形成することにより、カバー２７を取り外すことなく、外から見える部分の清掃を容易に行うことができる。さらには、上下に隣り合うスリット２８間に設けられた垂直部分が羽根板２９と同じ角度となるように、両端部にひねりを加えてもよい。また、本実施の形態の羽根板２９は６５度の角度で傾斜しているが、羽根板２９の角度は設置する環境等により随時変更されてよい。さらにまた、本実施の形態においては、ギャラリ２０を加熱装置６の側面部に設けることにより、前面側の意匠性を向上させているが、ギャラリ２０は、前面部に設けてもよいし、両側面部に設けてもよい。
【００３４】
また、乾燥装置４と加熱装置６とは一体に構成しても、別体に構成してもよいが、加熱装置６と乾燥装置４とは、上述のように機能的には完結した装置として構成できるものであるので、別体とすることで適用性が増すことができる。また、本実施の形態は、高圧空気流発生装置３を備えた高圧空気流による手乾燥装置であるが、高圧でない手乾燥装置にも適用できるものである。
【００３５】
実施の形態２．
図９は本発明に係る実施の形態２の手乾燥装置の加熱装置の横断面図である。図中矢印は気流の流れを示している。本実施の形態においては、ギャラリ２０と蓄熱放熱器８との間のダクト室３２の底面３２ａに垂直に高さは約５ｍｍ程度の水浸入防止堰６２が加熱装置６の幅全体にわたって設けられている。その他の構成は実施の形態１と同様である。
【００３６】
本実施の形態においては、ギャラリ２０から加熱装置６に至る風路を構成するダクト室３２に水浸入防止堰６２が設けられているので、万が一ギャラリ２０から水滴が侵入しても、加熱装置６まで水が到達することがなく、ギャラリ２０の効果と相乗して、錆による故障を抑止することができ、より一層の安全性と信頼性の向上を図ることができる。なお、実験により、水浸入防止堰６２の高さは５ｍｍ以上あれば所定の効果を得ることが判った。
【００３７】
実施の形態３．
図１０は本発明に係る実施の形態３の手乾燥装置の加熱装置の横断面図である。図中矢印は気流の流れを示している。本実施の形態においては、ギャラリ２０と蓄熱放熱器８との間のダクト室３２の底面３２ａに水抜き穴６５が開口されている。その他の構成は実施の形態１と同様である。
【００３８】
本実施の形態においては、ギャラリ２０から加熱装置６に至る風路を構成するダクト室３２の底面３２ａに水抜き穴６５が設けられているので、万が一ギャラリ２０から水滴が侵入しても水抜き穴６５から装置外部に水が抜けるので、加熱装置６内に水が溜まってしまうことがなく、ギャラリ２０の効果と相乗して、より一層の安全性と信頼性の向上を図ることができる。また、ダクト室３２が金属にて作製されていても、錆による腐食を防止することができる。本実施の形態の水抜き穴６５は、実施の形態２の水浸入防止堰６２とともに設けられると効果を増すことができる。なお、水抜き穴６５は、その機能から通路断面が円形でも矩形であってもよいことは言うまでもない。
【産業上の利用可能性】
【００３９】
この発明は、オフィスビル、ホテル、ファミリーレストラン、アミューズメント施設、総合スーパーマーケット、食品・医薬品・化粧品・その他一般の工場、学校、公共施設等のトイレ及び手洗い場に設置される手乾燥装置に適用されて好適なものである。
【図面の簡単な説明】
【００４０】
【図１】実施の形態１の手乾燥装置を左側の側方より見た外観図である。
【図２】実施の形態１の手乾燥装置を右側の側方より見た縦断面図である。
【図３】実施の形態１の加熱装置の内部を部分的に透過した斜視図である。
【図４】実施の形態１の加熱装置の加熱装置の横断面図である。
【図５】複数のスリット及び羽根板が形成された側面板の拡大縦断面図である。
【図６】蓄熱放熱器とその上部に配設されるエアーチャンバーの斜視図である。
【図７】加熱装置のヒーター制御回路の構成図である。
【図８】エアーチャンバーの開閉シャッターが閉じた様子を示す斜視図である。
【図９】実施の形態２の手乾燥装置の加熱装置の横断面図である。
【図１０】実施の形態３の手乾燥装置の加熱装置の横断面図である。
【符号の説明】
【００４１】
１    手挿入空間
２    箱体（本体）
３    高圧空気流発生装置
３ａ    モーター
３ｂ    ターボファン
３ｄ    吸込口
３ｃ    フード
４    乾燥装置
６    加熱装置（蓄熱式空気加熱装置）
７ａ    上吹出ノズル
７ｂ    下吹出ノズル
８    蓄熱放熱器（加熱手段、蓄熱放熱手段）
９    シーズヒーター
９ａ    蓄熱放熱フィン
１０    エアーチャンバー
１１    開閉シャッター
１２    接続部材（シール枠）
１６    フレーム
１７    空気吸入口
１９    支持腕
２０    ギャラリ
２１    送気口
２７    カバー
２８    スリット（小面積孔）
２９    羽根板（鎧戸構造）
３１    ヒーターボックス
３２    ダクト室
３２ａ    ダクト室の底面
３３    固定脚
３７    比較回路
３８    電流検知回路
３９    ヒーター駆動回路
４０    室温検知回路
４１    ヒーター温度検知回路
５０    通気口
５３    板バネ
６２    水浸入防止堰
６５    水抜き穴
１００    手乾燥装置本体（本体）
【図１】
2007044345.tif 000003
【図２】
2007044345.tif 000004
【図３】
2007044345.tif 000005
【図４】
2007044345.tif 000006
【図５】
2007044345.tif 000007
【図６】
2007044345.tif 000008
【図７】
2007044345.tif 000009
【図８】
2007044345.tif 000010
【図９】
2007044345.tif 000011
【図１０】
2007044345.tif 000012